(57)【要約】【課題】シャッタに汚水や汚物が付着することを抑制する。【解決手段】開口部から進出させた局部洗浄ノズルから洗浄水を吐出させることで局部洗浄を行う局部洗浄装置であって、前記開口部を開閉可能なシャッタと、前記シャッタに水を流す洗浄部と、を備えることを特徴とする局部洗浄装置である。【選択図】図１
2019196642.tif 000002
【特許請求の範囲】
【請求項１】
開口部から進出させた局部洗浄ノズルから洗浄水を吐出させることで局部洗浄を行う局部洗浄装置であって、
前記開口部を開閉可能なシャッタと、
前記シャッタに水を流す洗浄部と、
を備えることを特徴とする局部洗浄装置。
【請求項２】
前記洗浄部は、前記シャッタが前記開口部を開状態とした場合に、前記シャッタに水を流す、請求項１に記載の局部洗浄装置。
【請求項３】
前記シャッタは、前記開口部に対して回動可能に取り付けられており、局部洗浄ノズルが前進すると当該局部洗浄ノズルに押されて前記開口部を開状態とし、前記局部洗浄ノズルを後退させると前記開口部を閉状態とし、
前記洗浄部は、前記局部洗浄ノズルが前記開口部から前進して前記開口部を開状態とした場合において、前記局部洗浄ノズルの表面に水を吐出することで前記シャッタの背面に水を流す、請求項１又は２に記載の局部洗浄装置。
【請求項４】
前記洗浄部は、前記開口部を開状態とした場合において、前記局部洗浄ノズルの表面に水を吐出することで、前記局部洗浄ノズルの表面と前記シャッタの背面との双方において水膜を形成する、請求項３に記載の局部洗浄装置。
【発明の詳細な説明】
【技術分野】
【０００１】
本発明は、局部洗浄装置に関する。
【背景技術】
【０００２】
下記特許文献１には、用便後に局部洗浄ノズルをノズル開口部から便器本体の内側に進出させ、当該局部洗浄ノズルの先端から洗浄水を吐出させることで、人体の局部を洗浄（局部洗浄）する局部洗浄装置が開示されている。
【０００３】
上記局部洗浄装置には、汚水や汚物がノズル開口部を介して局部洗浄装置内に流入することを防止するために、ノズル開口部を開閉するシャッタが設けられている。
【先行技術文献】
【特許文献】
【０００４】
【特許文献１】特開２０１７−１２５３７５号公報
【発明の概要】
【発明が解決しようとする課題】
【０００５】
ところで、ノズル開口部をシャッタで閉状態に制御している場合には、このシャッタの表面に汚水や汚物が付着する可能性がある。また、ノズル開口部を開状態に制御している場合には、シャッタが上方に回動しているため、汚水や汚物がシャッタの裏面にも付着する可能性がある。そのため、シャッタを衛生的に保つことが望まれている。
【０００６】
本発明は、このような事情に鑑みてなされたもので、その目的は、シャッタに汚水や汚物が付着することを抑制することである。
【課題を解決するための手段】
【０００７】
本発明の一態様は、開口部から進出させた局部洗浄ノズルから洗浄水を吐出させることで局部洗浄を行う局部洗浄装置であって、前記開口部を開閉可能なシャッタと、前記シャッタに水を流す洗浄部と、を備えることを特徴とする局部洗浄装置である。
【０００８】
本発明の一態様は、上述の局部洗浄装置であって、前記洗浄部は、前記シャッタが前記開口部を開状態とした場合に、前記シャッタに水を流す。
【０００９】
本発明の一態様は、上述の局部洗浄装置であって、前記シャッタは、前記開口部に対して回動可能に取り付けられており、局部洗浄ノズルが前進すると当該局部洗浄ノズルに押されて前記開口部を開状態とし、前記局部洗浄ノズルを後退させると前記開口部を閉状態とし、前記洗浄部は、前記局部洗浄ノズルが前記開口部から前進して前記開口部を開状態とした場合において、前記局部洗浄ノズルの表面に水を吐出することで前記シャッタに水を流す。
【００１０】
本発明の一態様は、上述の局部洗浄装置であって、前記洗浄部は、前記開口部を開状態とした場合において、前記局部洗浄ノズルの表面に水を吐出することで、前記局部洗浄ノズルの表面と前記シャッタの背面との双方において水膜を形成する。
【発明の効果】
【００１１】
以上説明したように、本発明によれば、シャッタに汚水や汚物が付着することを抑制することができる。
【図面の簡単な説明】
【００１２】
【図１】本発明の一実施形態に係る局部洗浄装置９を備えるトイレシステムＡの概略構成の一例を示す図である。
【図２】本発明の一実施形態に係る局部洗浄ノズル１０の進退動作を説明する図である。
【図３】本発明の一実施形態に係る局部洗浄装置９の概略構成の一例を示す図である。
【図４】本発明の一実施形態に係る水膜形成の動作のフロー図である。
【図５】本発明の一実施形態に係る局部洗浄の際の水膜形成の動作のフロー図である。
【図６】本発明の一実施形態に係る水膜口１７１の位置を示す図である。
【図７】本発明の一実施形態に係るシャッタ１２の変形例を示す図である。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１４】
図１は、本発明の一実施形態に係る局部洗浄装置を備えるトイレシステムＡの概略構成の一例を示す図である。図１に示すように、トイレシステムＡは、トイレ装置１及びリモコン装置２を備える。
【００１５】
トイレ装置１は、トイレルームに設けられており、リモコン装置２と有線又は無線通信することで情報を送受する。
【００１６】
リモコン装置２は、トイレルームの所定位置に設置されている。例えば、この所定位置とは、トイレルームの壁面である。リモコン装置２には、複数の操作スイッチが設けられており、使用者は、例えば、便器洗浄や局部洗浄に対応した操作スイッチを押下操作することで、トイレ装置１に対して便器洗浄や局部洗浄を実行させることができる。
【００１７】
トイレ装置１は、便器本体３及び便座装置４を備える。
【００１８】
便器本体３は、トイレルーム内の床面に設置されている。便器本体３の上部には、便座装置４が設置されている。
【００１９】
便座装置４は、本体カバー５、便座６、便蓋７、便器洗浄装置８及び局部洗浄装置９を備える。
【００２０】
本体カバー５は、便器本体３の後部かつ上部に載置された便器洗浄装置８及び局部洗浄装置９を収容するように便器洗浄装置８及び局部洗浄装置９を上側から覆うカバーである。
【００２１】
便座６は、本体カバー５に対して上下方向に回動可能に支持されている。すなわち、便座６は、本体カバー５に軸支されており、便器本体３に対して起立状態と倒伏状態との間で回動自在である。
【００２２】
便蓋７は、本体カバー５に対して上下方向に回動可能に支持されている。すなわち、便蓋７は、本体カバー５に軸支されており、便器本体３に対して起立状態と倒伏状態との間で回動自在である。
【００２３】
便器洗浄装置８は、本体カバー５内に収容して設けられ、例えば使用者により便器洗浄に対応する操作スイッチが操作されることで、便器本体３内に洗浄水を吐出させる便器洗浄を実行する。
【００２４】
局部洗浄装置９は、用便後に局部洗浄ノズル１０をノズル開口部１１から便器本体３の内側に進出させ、当該局部洗浄ノズル１０の先端に形成された吐出孔１０ａから洗浄水を吐出することで、人体の局部を洗浄する局部洗浄を実行する。
【００２５】
具体的には、局部洗浄装置９は、局部洗浄ノズル１０、ノズル開口部１１、及びシャッタ１２を備える。なお、ノズル開口部１１は、本発明の「開口部」の一例である。
【００２６】
局部洗浄ノズル１０は、本体カバー５に収納されており、先端部に洗浄水を吐出する吐出孔１０ａを備える。そして、局部洗浄ノズル１０は、後端側から供給されて内部を流通した洗浄水が吐出孔１０ａから所定の方向に吐出するように構成されている。
【００２７】
ノズル開口部１１は、局部洗浄ノズル１０が前方に進出したときに局部洗浄ノズル１０が挿通可能な大きさの開口である。
【００２８】
シャッタ１２は、ノズル開口部１１を開閉可能であって、例えば、ノズル開口部１１に対して回動可能に取り付けられている。このシャッタ１２は、局部洗浄ノズル１０が前進するとその局部洗浄ノズル１０に押圧されてノズル開口部１１を開状態とし、局部洗浄ノズル１０を後退させるとノズル開口部１１を閉状態とする。
【００２９】
以下に、図２を用いて局部洗浄ノズル１０の進退動作について説明する。
【００３０】
シャッタ１２は、バネ部材（不図示）を介して局部洗浄装置９に連結されている。すなわち、シャッタ１２には、バネ部材によってシャッタ１２を閉じる方向に付勢する力が作用している。
【００３１】
また、シャッタ１２の背面には、局部洗浄ノズル１０に対向する位置に突起１２ａが設けられている。この突起１２ａは、下方に向かうに従い漸次背面に近づく傾斜面を備える。このため、局部洗浄ノズル１０が進出すると、当該局部洗浄ノズル１０の先端部が突起１２ａに当接する（図２（ａ））。そして、局部洗浄ノズル１０がさらに進出すると、局部洗浄ノズル１０の先端部により突起１２ａの傾斜面が押圧される。これにより、シャッタ１２は、背面１２ｂを下方に向けるように上方に回動し、所定の位置に保持される（図２（ｂ））。このように、ノズル開口部１１が開き、本体カバー５から便器本体の内側に局部洗浄ノズル１０を進出させることで、局部洗浄ノズル１０の吐出孔１０ａから洗浄水の温水を吐出し使用者の局部を洗浄したり、局部洗浄装置９内に設けられた温風乾燥装置により便座６に着座した使用者の局部にノズル開口部１１から温風を吹き出すことができる。
【００３２】
また、局部洗浄ノズル１０を後退させると、シャッタ１２は、バネ部材の付勢力により後方に退避しつつ回動する。これにより、局部洗浄ノズル１０の先端部が突起１２ａに当接する。そして、局部洗浄ノズル１０がさらに後退すると、局部洗浄ノズル１０の先端部が突起１２ａと離間し、シャッタ１２がノズル開口部１１を閉鎖（閉状態）する。
【００３３】
さらに、局部洗浄装置９は、局部洗浄ノズル１０がノズル開口部１１から進出している状態において、当該局部洗浄ノズル１０の表面に水で水膜を形成することで、局部洗浄ノズル１０及びシャッタ１２に汚物や汚水が付着することを防止する機能を備える。なお、この水膜を形成するための水とは、冷水であってもよいし、温水であってもよい。本実施形態では、温水により水膜を形成する場合について説明する。
以下に、本実施形態に係る局部洗浄装置９の構成について、図３を用いて具体的に説明する。
【００３４】
図３に示すように、局部洗浄装置９は、第１の流路１３、第２の流路１４、給水バルブ１５、温水生成部１６、及び洗浄部１７を備える。
【００３５】
第１の流路１３は、給水源Ｓからの水を、給水バルブ１５を介して温水生成部１６に流入させる流路である。なお、本実施形態において「水」とは、冷水でもよいし、温水でもよい。
第２の流路１４は、温水生成部１６からの温水を洗浄部１７に送水するための流路である。
【００３６】
給水バルブ１５は、第１の流路１３に設けられ、その第１の流路１３を開放又は閉塞することで、給水源Ｓから温水生成部１６への給水を制御する。具体的には、給水バルブ１５は、洗浄部１７の制御により開状態に制御された場合には、第１の流路１３を開放する。これにより、給水源Ｓからの水が第１の流路１３を介して温水生成部１６に流入する。一方、給水バルブ１５は、洗浄部１７の制御により閉状態に制御された場合には、第１の流路１３を閉塞する。これにより、温水生成部１６への水の流入が停止される。
【００３７】
温水生成部１６は、第１の流路１３を介して流入してきた水を所定の温度に加熱して温水を生成する。そして、温水生成部１６は、所定の温度に加熱した温水を第２の流路１４を介して洗浄部１７に送水する。以下に、温水生成部１６の構成について、具体的に説明する。
【００３８】
温水生成部１６は、ヒータ１６１、温度センサ１６２、及び温度制御部１６３を備える。
【００３９】
ヒータ１６１は、第１の流路１３を介して流入してきた水を、温度制御部１６３の制御に基づいて所定の温度に加熱する。そして、ヒータ１６１により加熱されて生成された温水は、第２の流路１４を介して洗浄部１７に供給される。
【００４０】
温度センサ１６２は、第２の流路１４に設けられ、ヒータ１６１により加熱された温水の温度を測定するセンサであって、例えば、サーミスタである。温度センサ１６２は、測定した温度を温度制御部１６３に出力する。
【００４１】
温度制御部１６３は、温度センサ１６２で測定された温度が上記所定の温度になるようにヒータ１６１の出力を制御する。なお、温度制御部１６３は、第２の流路１４に供給する温水の温度を任意の温度に制御可能である。
【００４２】
洗浄部１７は、局部洗浄ノズル１０、水膜口１７１、分岐流路１７２〜１７４、流調バルブ１７５、駆動部１７６、及び制御装置１７７を備える。
【００４３】
局部洗浄ノズル１０は、おしり洗浄用ノズル１１１及びビデ用ノズル１１２の一対の局部洗浄ノズルの少なくともいずれかである。なお、以下の説明において、おしり洗浄用ノズル１１１及びビデ用ノズル１１２のそれぞれを区別しない場合には、単に「局部洗浄ノズル１０」と標記する。
【００４４】
水膜口１７１は、局部洗浄ノズル１０の表面に水膜を形成するための開口部である。すなわち、洗浄部１７は、水膜口１７１から局部洗浄ノズル１０の表面に向けて温水を吐出させることで、ノズル開口部１１から進出している局部洗浄ノズル１０の表面に水膜を形成する。
【００４５】
分岐流路１７２〜１７４は、第２の流路１４から分岐する流路である。
【００４６】
分岐流路１７２は、第２の流路１４から分岐し、おしり洗浄用ノズル１１１の先端部に連通する。
分岐流路１７３は、第２の流路１４から分岐し、ビデ用ノズル１１２の先端部に連通する。
分岐流路１７４は、第２の流路１４から分岐し、水膜口１７１に連通する。
【００４７】
流調バルブ１７５は、複数の分岐流路１７２〜１７４のうち、温水生成部１６で生成された温水を流す分岐流路を一以上選択し、その選択した分岐流路（以下、「選択分岐流路」という。）に温水生成部１６で生成された温水を供給する。ただし、流調バルブ１７５は、複数の分岐流路１７２〜１７４のどの分岐流路にも、温水生成部１６で生成された温水を流さない場合には、選択分岐流路を選択しないこともできる。
さらに、流調バルブ１７５は、その選択分岐流路に流れる温水の流量を調整可能である。なお、流調バルブ１７５における選択分岐流路の選択や選択分岐流路に流れる温水の流量調整は、制御装置１７７により制御される。
【００４８】
駆動部１７６は、制御装置１７７による制御に基づいて、一対のおしり洗浄用ノズル１１１とビデ用ノズル１１２を、それぞれ個別に進退させることが可能である。
【００４９】
制御装置１７７は、給水バルブ１５の駆動を制御することで、第１の流路１３の開放又は閉塞を制御する。
また、制御装置１７７は、流調バルブ１７５における選択分岐流路の選択を制御することで、局部洗浄ノズル１０による局部洗浄や、局部洗浄ノズル１０の表面に対する水膜の形成を制御する。なお、この温水による水膜は、局部洗浄ノズル１０の進退動作に伴い形成される。
さらに、制御装置１７７は、温度制御部１６３と通信することで、第２の流路１４に供給される温水の温度を調整可能である。
【００５０】
以下に、本実施形態に係る局部洗浄装置９の動作の流れについて、図４を用いて説明する。なお、以下の説明において、局部洗浄ノズル１０の進退動作として、おしり洗浄用ノズル１１１の進退動作を例として説明する。
【００５１】
ノズル開口部１１を開状態にする場合には、制御装置１７７は、駆動部１７６の駆動を制御しておしり洗浄用ノズル１１１の進出動作を開始させる（ステップＳ１０１）。ここで、ノズル開口部１１を開状態にする場合とは、例えば、局部洗浄を行う場合や温風乾燥を行う場合がある。
【００５２】
制御装置１７７は、おしり洗浄用ノズル１１１が進出すると、おしり洗浄用ノズル１１１がシャッタ１２の背面１２ｂを押圧することでシャッタ１２を上方に回動させる。これにより、ノズル開口部１１が開状態に制御され、おしり洗浄用ノズル１１１がノズル開口部１１から所定の位置まで進出する（ステップＳ１０２）。
【００５３】
制御装置１７７は、おしり洗浄用ノズル１１１がノズル開口部１１から進出すると、当該おしり洗浄用ノズル１１１の表面において水膜を形成する（ステップＳ１０３）。具体的には、制御装置１７７は、おしり洗浄用ノズル１１１がノズル開口部１１から進出すると、流調バルブ１７５を制御して、選択分岐流路を分岐流路１７２とする。これにより、温水生成部１６で生成された温水は分岐流路１７４を通り、水膜口１７１から吐出される。したがって、洗浄用ノズル１１１の表面において水膜が形成され、局部洗浄が実施される場合においては、洗浄用ノズル１１１の表面に汚物や汚水が付着することを防止することができる。
【００５４】
ここで、ノズル開口部１１が開状態に制御されている場合には、おしり洗浄用ノズル１１１の表面は、シャッタ１２の背面に接触している。そのため、おしり洗浄用ノズル１１１の表面に吐出された温水は、おしり洗浄用ノズル１１１の表面を伝ってシャッタ１２の背面に流れる。これにより、シャッタ１２の背面に水膜が形成され、汚物や汚水が付着することを抑制する。また、シャッタ１２の背面に汚物や汚水が付着している場合には、その付着している汚物や汚水を洗い流すことができる。
【００５５】
このように、制御装置１７７は、ノズル開口部１１が開状態に制御されている場合には、おしり洗浄用ノズル１１１の表面及びシャッタ１２の背面の双方に水膜を形成する。したがって、おしり洗浄用ノズル１１１の表面及びシャッタ１２の背面が汚物や汚水で汚れることを抑制することができる。
【００５６】
制御装置１７７は、おしり洗浄用ノズル１１１の表面及びシャッタ１２の背面の双方に水膜を形成してから所定時間が経過したか否かを判定する（ステップＳ１０４）。
制御装置１７７は、おしり洗浄用ノズル１１１の表面及びシャッタ１２の背面の双方に水膜を形成してから所定時間が経過した場合には、当該水膜の形成を停止する（ステップＳ１０５）。具体的には、制御装置１７７は、流調バルブ１７５を制御することで第２の流路１４から分岐流路１７４への温水の流入を停止することで、水膜の形成を停止する。または、制御装置１７７は、給水バルブ１５を制御して第１の流路１３を閉塞することで、水膜の形成を停止する。一方、制御装置１７７は、おしり洗浄用ノズル１１１の表面及びシャッタ１２の背面の双方に水膜を形成してから所定時間が経過していない場合には、当該水膜の形成を継続する。
【００５７】
制御装置１７７は、水膜の形成を停止すると、駆動部１７６の駆動を制御して、おしり洗浄用ノズル１１１を、本体カバー５内に退避させる（ステップＳ１０６）。
【００５８】
次に、局部洗浄を行う際にシャッタ１２に水膜を形成する動作について、図５を用いて説明する。
【００５９】
例えば、使用者がリモコン装置２における局部洗浄ボタンを操作すると、制御装置１７７は、当該操作を検出する。そして、制御装置１７７は、給水バルブ１５を制御して第１の流路１３を開放させるとともに、駆動部１７６の駆動を制御しておしり洗浄用ノズル１１１の進出動作を開始させる（ステップＳ２０１）。
【００６０】
おしり洗浄用ノズル１１１が進出するとノズル開口部１１が開状態となる。したがって、制御装置１７７は、ノズル開口部１１から進出すると、当該おしり洗浄用ノズル１１１の表面及びシャッタ１２の背面において水膜を形成する（ステップＳ２０２）。具体的には、制御装置１７７は、おしり洗浄用ノズル１１１がノズル開口部１１から進出すると、流調バルブ１７５を制御して、選択分岐流路を分岐流路１７２とする。これにより、温水生成部１６で生成された温水は分岐流路１７４を通り、水膜口１７１から吐出される。そのため、おしり洗浄用ノズル１１１の表面に温水が吐出される。また、おしり洗浄用ノズル１１１の表面に吐出された温水は、当該表面を伝ってシャッタ１２の背面に流れる。これにより、洗浄用ノズル１１１の表面とシャッタ１２の背面とにおいて水膜が形成される。
【００６１】
おしり洗浄用ノズル１１１が局部洗浄を行う所定の位置まで進出すると（ステップＳ２０３）、制御装置１７７は、おしり洗浄用ノズル１１１の進出動作を停止する。そして、制御装置１７７は、局部洗浄を実施するために、流調バルブ１７５を制御して、分岐流路１７４に加えて分岐流路１７２を選択分岐流路として選択する。これにより、温水生成部１６で生成された温水は、分岐流路１７２及び分岐流路１７４に流入する。したがって、水膜の形成を継続するとともに、おしり洗浄用ノズル１１１の吐出孔１０ａから上記温水が洗浄水として吐出して局部洗浄を開始する（ステップＳ２０４）。
【００６２】
ここで、おしり洗浄用ノズル１１１による局部洗浄中において、当該おしり洗浄用ノズル１１１の表面及びシャッタ１２の背面に水膜が形成されている。これにより、局部洗浄中において、おしり洗浄用ノズル１１１の表面及びシャッタ１２の背面に汚物が付着することを防止することができる。
【００６３】
リモコン装置２において、使用者により局部洗浄の停止を指示する操作が行われると、制御装置１７７は、当該操作を検出して、流調バルブ１７５における選択分岐流路を分岐流路１７４のみとする。すなわち、制御装置１７７は、第２の流路１４から分岐流路１７２への温水の供給を停止することで、局部洗浄を停止する（ステップＳ２０５）。そして、制御装置１７７は、駆動部１７６の駆動を制御しておしり洗浄用ノズル１１１の退避動作を開始させる（ステップＳ２０６）。なお、おしり洗浄用ノズル１１１の退避動作を実施している場合においても、おしり洗浄用ノズル１１１の表面及びシャッタ１２の背面に対する水膜の形成は継続している。これにより、局部洗浄中において、おしり洗浄用ノズル１１１の表面及びシャッタ１２の背面の表面に汚物が付着した場合があっても、その付着した汚物を温水で洗い流すことが可能となる。
【００６４】
制御装置１７７は、おしり洗浄用ノズル１１１が本体カバー５内に退避されたか否かを判定する（ステップＳ２０７）。そして、制御装置１７７は、おしり洗浄用ノズル１１１が本体カバー５内に退避したと判定した場合には、水膜の形成を停止する（ステップＳ２０８）。具体的には、制御装置１７７は、流調バルブ１７５を制御することで第２の流路１４から分岐流路１７４への温水の流入を停止することで、水膜の形成を停止する。または、制御装置１７７は、給水バルブ１５を制御して第１の流路１３を閉塞することで、水膜の形成を停止する。
【００６５】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００６６】
（変形例１）
上記実施形態において、局部洗浄中においても、おしり洗浄用ノズル１１１の表面及びシャッタ１２の背面に対する水膜の形成を継続する場合について説明したが、本発明はこれに限定されない。例えば、図５に示す動作において、制御装置１７７は、局部洗浄中においては局部洗浄ノズル１０の表面への温水の吐出を停止して、水膜の形成を停止してもよい。
【００６７】
（変形例２）
上記実施形態では、局部洗浄ノズル１０が進出すると、シャッタ１２は、背面１２ｂを下方に向けるように上方に回動したが、本発明はこれに限定されない。例えば、シャッタ１２は、局部洗浄ノズル１０が進出すると、背面１２ｂを上方に向けるように下方に回動してもよい。
【００６８】
（変形例３）
上記実施形態では、洗浄部１７は、局部洗浄ノズル１０がノズル開口部１１から前進してノズル開口部１１を開状態となっている場合において、局部洗浄ノズル１０の表面に温水を吐出したが、本発明はこれに限定されない。例えば、洗浄部１７は、局部洗浄ノズル１０の表面に水を吐出してもよい。すなわち、洗浄部１７は、局部洗浄ノズル１０の表面に冷水又は温水の水を吐出すればよい。
【００６９】
（変形例４）
上記実施形態では、洗浄部１７は、シャッタ１２の背面に水膜を形成したが、本発明はこれに限定されず、シャッタ１２の表面に水膜を形成してもよいし、シャッタ１２の表面及び背面の双方に水膜を形成してもよい。
【００７０】
（変形例５）
なお、上記実施形態における水膜口１７１の位置は、温水生成部１６で生成された温水の一部を水膜口１７１から局部洗浄ノズル１０の表面に吐出できる位置であれば、特に限定されない。例えば、図６に示すように、水膜口１７１は、局部洗浄ノズル１０を出し入れ可能な支持部本体３００の上部に形成されてもよい。
【００７１】
（変形例６）
上記実施形態では、シャッタ１２に突起１２ａが設けられている場合について説明したが、本発明はこれに限定されない。すなわち、図７に示すように、シャッタ１２に突起１２ａを設けなくてもよい。これにより、シャッタ１２の下端が局部洗浄ノズル１０に接触するため、シャッタ１２の背面だけでなくシャッタ１２の下端まで洗浄することができる。
【００７２】
以上、説明したように、本発明の一実施形態に係る局部洗浄装置９は、ノズル開口部１１を開閉可能なシャッタ１２に水を流す洗浄部１７を備える。
【００７３】
このような構成によれば、シャッタ１２に汚水や汚物が付着することを抑制することができる。
【００７４】
また、洗浄部１７は、シャッタ１２がノズル開口部１１を開状態にしている場合に、シャッタ１２に水を流してもよい。
【００７５】
このような構成によれば、シャッタ１２の背面に汚水や汚物が付着することを抑制することができる。
ここで、シャッタ１２の表面は、使用者により視認されやすいため、汚れている場合には使用者により容易に清掃することが可能である。ただし、シャッタ１２の背面は、使用者により視認されにくく、かつ清掃が困難である。したがって、洗浄部１７は、シャッタ１２がノズル開口部１１を開状態にしている場合に、シャッタ１２に水を流すことで、シャッタ１２の背面を清潔にして衛生的に保つことができる。
【００７６】
また、洗浄部１７は、局部洗浄ノズル１０がシャッタ１２を押圧して前記ノズル開口部を開状態に制御している場合において、局部洗浄ノズル１０の表面に水を吐出することでシャッタ１２に水を流してもよい。
【００７７】
このような構成によれば、局部洗浄ノズル１０の表面とシャッタ１２の背面との双方において、汚水や汚物が付着することを抑制することができる。
【００７８】
また、本発明の一実施形態に係る局部洗浄装置９では、局部洗浄ノズル１０の表面に吐出された温水は、局部洗浄ノズル１０の表面を伝ってシャッタ１２の背面に流れるように構成されているため、局部洗浄ノズル１０の横幅より広い範囲においてシャッタ１２の背面を洗浄できる。
【符号の説明】
【００７９】
Ａ  トイレシステム
１  トイレ装置
２  リモコン装置
９  局部洗浄装置
１０  局部洗浄ノズル
１１  ノズル開口部（開口部）
１２  シャッタ
１７  洗浄部
Ｓ  給水源
【図１】
2019196642.tif 000003
【図２】
2019196642.tif 000004
【図３】
2019196642.tif 000005
【図４】
2019196642.tif 000006
【図５】
2019196642.tif 000007
【図６】
2019196642.tif 000008
【図７】
2019196642.tif 000009